【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
車両用シートのシートフレームであって、
前記シートのシートバックの外形を形成する枠部材と、該枠部材の側部に沿って上下方向に延在するサイドフレームと、を備えたシートバックフレームと、
該シートバックフレームに固定され、該シートバックフレームによって区画される領域に延在するパンフレームと、
前記サイドフレームに取り付けられ、ワイヤからなる剛性向上部材と、を備え、
前記サイドフレームには、前記パンフレームが溶接されるとともに、前記剛性向上部材の上端部が上部溶接点で溶接されていることを特徴とする車両用シートのシートフレーム。
【請求項２】
前記剛性向上部材は、前記パンフレームよりも前方に配置されていることを特徴とする請求項１に記載の車両用シートのシートフレーム。
【請求項３】
前記剛性向上部材は、前記サイドフレームの側部の外側面に取り付けられていることを特徴とする請求項１又は２に記載の車両用シートのシートフレーム。
【請求項４】
前記剛性向上部材は、略Ｃ字状を有し、該略Ｃ字状の開いた側で前記サイドフレームに取り付けられて前記サイドフレームとともに閉塞した形状を形成し、かつ前後方向に貫通した開口を形成していることを特徴とする請求項１乃至３のいずれか一項に記載の車両用シートのシートフレーム。
【請求項５】
前記剛性向上部材の前記上端部は下方に向かって屈曲し、前記上端部の屈曲した部位が前記上部溶接点で前記サイドフレームに取り付けられていることを特徴とする請求項１乃至４のいずれか一項に記載の車両用シートのシートフレーム。
【請求項６】
前記パンフレームには、上下方向に延在するビードが設けられ、
前記上部溶接点は、前記ビードの上端と下端の間の高さ位置に配置されていることを特徴とする請求項１乃至５のいずれか一項に記載の車両用シートのシートフレーム。
【請求項７】
前記剛性向上部材の下端部が、下部溶接点で前記サイドフレームに溶接されていることを特徴とする請求項１乃至６のいずれか一項に記載の車両用シートのシートフレーム。
【請求項８】
前記剛性向上部材の前記下端部は下方に向かって延出し、前記下端部の下方に延出した部位が前記下部溶接点で前記サイドフレームに取り付けられていることを特徴とする請求項７に記載の車両用シートのシートフレーム。
【請求項９】
前記剛性向上部材は、屈曲点が４箇所に形成されていることを特徴とする請求項１乃至８のいずれか一項に記載の車両用シートのシートフレーム。
【請求項１０】
前記サイドフレームは、前記シートの幅方向両側に一対設けられ、
前記剛性向上部材は、一対の前記サイドフレームのうち、車両外側の前記サイドフレームに取り付けられている請求項１乃至９のいずれか一項に記載の車両用シートのシートフレーム。
【請求項１１】
請求項１乃至１０のいずれか一項に記載のシートフレームを備えたことを特徴とする車両用シート。
【手続補正２】
【補正対象書類名】明細書
【補正対象項目名】０００１
【補正方法】変更
【補正の内容】
【０００１】
本発明は、車両用シート及びそのシートフレームに関する。
【手続補正３】
【補正対象書類名】明細書
【補正対象項目名】０００５
【補正方法】変更
【補正の内容】
【０００５】
しかし、特許文献１の発明では、更にシートバックの剛性を向上することが望まれていた。
【手続補正４】
【補正対象書類名】明細書
【補正対象項目名】０００６
【補正方法】変更
【補正の内容】
【０００６】
本発明の目的は、単純な構成で、シートバックの剛性が更に向上された車両用シート及びそのシートフレームを提供することにある。
【手続補正５】
【補正対象書類名】明細書
【補正対象項目名】０００７
【補正方法】変更
【補正の内容】
【０００７】
前記課題は、本発明の車両用シートのシートフレームによれば、車両用シートのシートフレームであって、前記シートのシートバックの外形を形成する枠部材と、該枠部材の側部に沿って上下方向に延在するサイドフレームと、を備えたシートバックフレームと、該シートバックフレームに固定され、該シートバックフレームによって区画される領域に延在するパンフレームと、前記サイドフレームに取り付けられ、ワイヤからなる剛性向上部材と、を備え、前記サイドフレームには、前記パンフレームが溶接されるとともに、前記剛性向上部材の上端部が上部溶接点で溶接されていること、により解決される。
【手続補正６】
【補正対象書類名】明細書
【補正対象項目名】０００８
【補正方法】変更
【補正の内容】
【０００８】
このように、サイドフレームに剛性向上線状部材が取り付けられているため、サイドフレームの剛性が向上される。
【手続補正７】
【補正対象書類名】明細書
【補正対象項目名】０００９
【補正方法】変更
【補正の内容】
【０００９】
このとき、前記剛性向上部材は、前記パンフレームよりも前方に配置されていると好適である。
【手続補正８】
【補正対象書類名】明細書
【補正対象項目名】００１０
【補正方法】変更
【補正の内容】
【００１０】
このとき、前記剛性向上部材は、前記サイドフレームの側部の外側面に取り付けられていると好適である。
【手続補正９】
【補正対象書類名】明細書
【補正対象項目名】００１１
【補正方法】変更
【補正の内容】
【００１１】
このとき、前記剛性向上部材は、略Ｃ字状を有し、該略Ｃ字状の開いた側で前記サイドフレームに取り付けられて前記サイドフレームとともに閉塞した形状を形成し、かつ前後方向に貫通した開口を形成していると好適である。
【手続補正１０】
【補正対象書類名】明細書
【補正対象項目名】００１２
【補正方法】変更
【補正の内容】
【００１２】
このとき、前記剛性向上部材の前記上端部は下方に向かって屈曲し、前記上端部の屈曲した部位が前記上部溶接点で前記サイドフレームに取り付けられていると好適である。
【手続補正１１】
【補正対象書類名】明細書
【補正対象項目名】００１３
【補正方法】変更
【補正の内容】
【００１３】
このとき、前記パンフレームには、上下方向に延在するビードが設けられ、前記上部溶接点は、前記ビードの上端と下端の間の高さ位置に配置されていると好適である。
【手続補正１２】
【補正対象書類名】明細書
【補正対象項目名】００１４
【補正方法】変更
【補正の内容】
【００１４】
このとき、前記剛性向上部材の下端部が、下部溶接点で前記サイドフレームに溶接されていると好適である。
【手続補正１３】
【補正対象書類名】明細書
【補正対象項目名】００１５
【補正方法】変更
【補正の内容】
【００１５】
このとき、前記剛性向上部材の前記下端部は下方に向かって延出し、前記下端部の下方に延出した部位が前記下部溶接点で前記サイドフレームに取り付けられていると好適である。
【手続補正１４】
【補正対象書類名】明細書
【補正対象項目名】００１６
【補正方法】変更
【補正の内容】
【００１６】
このとき、前記剛性向上部材は、屈曲点が４箇所に形成されていると好適である。
【手続補正１５】
【補正対象書類名】明細書
【補正対象項目名】００１７
【補正方法】変更
【補正の内容】
【００１７】
このとき、前記サイドフレームは、前記シートの幅方向両側に一対設けられ、前記剛性向上部材は、一対の前記サイドフレームのうち、車両外側の前記サイドフレームに取り付けられていると好適である。
【手続補正１６】
【補正対象書類名】明細書
【補正対象項目名】００１８
【補正方法】変更
【補正の内容】
【００１８】
本発明によれば、サイドフレームの剛性が向上される。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】